(57)【特許請求の範囲】
【請求項１】
円筒体で、扉内面又は面付錠の錠箱に装着され、内周面の母線に沿って少なくとも１条の係止溝を形成したサムターン筒と、このサムターン筒の内筒部に回動可能に支承され、外端に摘みを、内端に第１制御体を夫々一体的に形成したサムターンと、錠箱内において上記サムターン筒と同軸に配設され、回動可能に支承され、シリンダ錠の内筒に連係された従動体と、この従動体と回転方向において拘束された状態で係合し、上記第１制御体と所定の角度相対回動可能に係合する第２制御体と、この第２制御体の従動体側において半径方向に移動可能に支承され、山形に成形された一端をサムターン筒の係止溝に係入する方向に付勢された少なくとも１個のアクセスストッパーと、係止溝とサムターンの回動軸とを結ぶ方向をＹ方向としたとき、外端部をサムターンの摘みの近傍に回動可能に支承され、内端部を第１及び第２制御体の中心部を貫通させた状態で、内端をアクセスストッパーに形成された係合切欠に係合させ、外端を押動したとき、内端をＹ方向に移動させる少なくとも１個のボタンレバーと、第１制御体の従動体側においてＹ方向に移動可能に案内された少なくとも１個のストッパーとを有し、このストッパーのアクセスストッパーに対向する側に、Ｙ方向と直角なＸ方向に長い係合溝を形成すると共に、アクセスストッパーに突設された係合突起をこの係合溝に係入させ、サムターンを回動させない待機時、ストッパーの一端をアクセスストッパーの山形の一端と共にサムターン筒の係止溝に係合させるようにしたことを特徴とする防犯サムターン。
【発明の詳細な説明】
【技術分野】
【０００１】
この発明は、防犯サムターンに係り、特に、小型化を可能にした防犯サムターンに関する。
【背景技術】
【０００２】
本出願人は、先に、下記特許文献１を以て、新規な防犯サムターンを提案した。
この防犯サムターンは、サムターンの摘みに設けた一対のボタンを押さない限りサムターンを回すことができないように構成されている。
【０００３】
したがって、室外側から室内側に通した針金によってサムターンを回すことによる、所謂サムターン回しという不正解錠を有効に防止できる。
【特許文献１】特開２００５−１８８１２６
【発明の開示】
【発明が解決しようとする課題】
【０００４】
しかしながら、サムターンは、本来の機能として、室外側から合鍵を操作しての施解錠時、シリンダ錠の内筒の回動と連動して回動する必要がある。
【０００５】
そのため、上記特許文献１に記載された発明による防犯サムターンは、内筒の回動に連動して、防犯サムターンのボタンが押されなくてもその係止機構を解除できる解除機構を備えている。
【０００６】
この解除機構は、特許文献１に詳細に記載されているし、また、本願発明の要旨ではないのでその詳細な説明は省略するが、比較的複雑であるので、防犯サムターンが大きくならざるを得ない、等未だ改良の余地がある。
【０００７】
そこで、この発明は、小型化することができる防犯サムターンを提供し、以て上記した不都合を解消することを目的としている。
【課題を解決するための手段】
【０００８】
上記の目的を達成するため、請求項１に記載の発明は、円筒体で、扉内面又は面付錠の錠箱に装着され、内周面の母線に沿って少なくとも１条の係止溝を形成したサムターン筒と、このサムターン筒の内筒部に回動可能に支承され、外端に摘みを、内端に第１制御体を夫々一体的に形成したサムターンと、錠箱内において上記サムターン筒と同軸に配設され、回動可能に支承され、シリンダ錠の内筒に連係された従動体と、この従動体と回転方向において拘束された状態で係合し、上記第１制御体と所定の角度相対回動可能に係合する第２制御体と、この第２制御体の従動体側において半径方向に移動可能に支承され、山形に成形された一端をサムターン筒の係止溝に係入する方向に付勢された少なくとも１個のアクセスストッパーと、係止溝とサムターンの回動軸とを結ぶ方向をＹ方向としたとき、外端部をサムターンの摘みの近傍に回動可能に支承され、内端部を第１及び第２制御体の中心部を貫通させた状態で、内端をアクセスストッパーに形成された係合切欠に係合させ、外端を押動したとき、内端をＹ方向に移動させる少なくとも１個のボタンレバーと、第１制御体の従動体側においてＹ方向に移動可能に案内された少なくとも１個のストッパーとを有し、このストッパーのアクセスストッパーに対向する側に、Ｙ方向と直角なＸ方向に長い係合溝を形成すると共に、アクセスストッパーに突設された係合突起をこの係合溝に係入させ、サムターンを回動させない待機時、ストッパーの一端をアクセスストッパーの山形の一端と共にサムターン筒の係止溝に係合させるようにしたことを特徴とする。
【発明の効果】
【０００９】
上記のように構成されたこの発明による防犯サムターンは、ボタンレバーの外端を押さない限り、サムターンはストッパーを介してサムターン筒の係止溝に係止され、サムターンを回すことができないから、所謂サムターン回しなる不正解錠を完全に防止できる。
【００１０】
一方、家人が室内側からサムターンを回すとき、ボタンレバーの外端を押動することによりアクセスストッパー及びストッパーの一端を係止溝から抜き出すことができるから、サムターンを回すことができる。
【００１１】
他方、家人が合鍵を使用してシリンダ錠を施解錠するとき、従動体に連結された第２制御体に担持されたアクセスストッパーの一端の山形部がサムターン筒の係止溝と相対的に回動を始め、アクセスストッパーがＹ方向及びＸ方向に移動しつつ、ストッパーをＹ方向のみに移動させるので、やがてストッパーを係止溝から抜き外し、サムターンを回動可能にすることができる。
【００１２】
また、全体に構造が簡単なので、防犯サムターンを小型化できる、等種々の効果を奏する。
【発明を実施するための最良の形態】
【００１３】
サムターンに、摘みと一体の第１制御体と、内筒に連結された従動体と一体の第２制御体とを少しの角度相対回動できるように分離しておき、第２制御体においてＹ方向に移動可能に収納され、一端を山形に成形されると共に、その山形の一端をサムターン軸の係止溝に係入する方向に付勢されたアクセスストッパーと、第１制御体においてＹ方向に移動可能に案内されたストッパーとを、ストッパーに形成され、Ｙ方向と直角なＸ方向に長い係合溝と、アクセスストッパーに突設された係合溝との係合によって連結した。
【実施例１】
【００１４】
以下、請求項１に記載の発明の実施例を図面を参照して説明する。
ず１乃至図４において符号１は所謂面付錠の室内側の錠箱を示す。
【００１５】
ちなみに、図示の実施例における面付錠は、ワンドア・ツーロックにするため既設の錠前に後付けで付設する錠前で、図３で右側の開口端縁を扉内面に接合させ、錠箱のボルト穴２、２（図２及び図３参照）を通る図示しない取付ボルトにより、扉外面に図示しないシリンダ錠を呼び付けるようにして取付ける。
【００１６】
なお、上記シリンダ錠の内筒は、連結部材３（図３参照）、駆動レバー４（図２及び図３参照）、駆動ピン５（図２及び図３参照）を介してデッドボルト６に連結され、合鍵を介してデッドボルト６を錠箱から出し入れすることができる。
【００１７】
上記の構成は周知であるから更に詳細な説明は省略することにし、また、デッドボルト６を受入れるストライク孔を図示しない扉枠に設けることは言うまでもない。
【００１８】
室内側の錠箱に戻って、錠箱１の室内側の面には、図１、図３及び図４に示すように、底面に開口を有するカップ状のサムターン筒７が装着されている。
【００１９】
このサムターン筒７の開口端縁には、図５及び図６に示すように、複数（図示の実施例では４個）の雌ねじ孔８、８が形成されており、この雌ねじ孔８と螺合する図示しない取付ねじにより、錠箱内から呼び付けられるようにして錠箱に装着されている。
【００２０】
また、サムターン筒７の内周面の中心軸に関し対称的な角度位置には、夫々母線に沿って、一対の係止溝９、９が形成されている。
【００２１】
一方、このサムターン筒７の内筒部には、図３及び図４に示すように、全体を符号１１で示すサムターンが回動可能に支承されている。
【００２２】
このサムターン１１の土台となるものは、図７乃至図９に示すサムターンボス１２であり、このサムターンボス１２は、盤状の第１制御体１３及び後述のボタンレバーを支持するための取付脚部１４（図８参照）を一体に結合したものである。
【００２３】
上記第１制御体１２の中央には、図７及び図９に示すように、後述するボタンレバーの内端部が貫通する断面矩形の挿通孔１５が開口している。
【００２４】
また、第１制御体１２の後述する従動体側（図９で右側）の端面は、図７に示すように、時計盤面に換算して６時と１２時の角度に位置に、輪郭線が略台形の部分、及び３時と９時の角度位置に、輪郭線が略Ｍ字形の部分を残して中央部が肉を盗まれている。
【００２５】
そして、上記輪郭線が略台形の高台部分は、これを半径方向に貫通するようにして、かつ、サムターンボスの中心軸線に関して対称的に、一対のストッパー案内溝１６、１６が形成されている。
【００２６】
各ストッパー案内溝１６は上記輪郭線が略台形の高台部分の表面を削るように形成されているが、その挿通孔１５に近い部分は肉が残され、後述するストッパーが外れないようになっている。
【００２７】
上記各ストッパー案内溝１６には、図１０乃至図１３に示すストッパー１７が第１制御体１３の半径方向に移動可能に収納かつ案内されている。
【００２８】
このストッパー１７は、その背面に突設された突条１８（図１０参照）を、ガイド溝１９（図８参照）に係合させた状態で前記ストッパー案内溝１６中に挿入されている。
【００２９】
なお、後述するように、各ストッパー１７はアクセスストッパーと係合して外方、すなわちサムターン筒７の前記係止溝９に係入する方向に付勢されている（図１３参照）。
【００３０】
一方、サムターンボス１２の前記取付脚部１４の間には、図３及び図４に示すように、一対のボタンレバー２１、２１が支軸２２によって相対回動可能に支承されている。
【００３１】
この場合、各ボタンレバー２１の内端部（図３及び図４で右端部）をサムターンボスの挿通孔１５（図７参照）及び後述する第２制御体の挿通孔を通して、その内端を後述のアクセスストッパーに係合させている。
【００３２】
ちなみに、図示の実施例サムターンの摘みは、ボタンレバー２１、２１を取付脚部１４側からサムターンボス１３に差込んで支軸２２により結合した後、図３で上下二つ割りにした摘み部材２３、２３を止めねじ２４（図４参照）でサムターンボスの取付脚部１４に固定し、キャップ２５を装着してなる（図１、図３及び図４参照）。
【００３３】
なお、サムターン筒の係止溝９とサムターンの回動軸を結ぶ方向（図５においてサムターン筒７の中心軸を通る上下方向）をＹ方向とすると、上記ボタンレバー２１、２１の内端はＹ方向に動くものとする。
【００３４】
一方、図３及び図４に示すように、前記駆動レバー４と対称的に構成された第２駆動レバー２６の基部には、第１制御体１３と同軸の従動体２７が前記サムターン筒７と同軸にかしめ付けられている。
【００３５】
この従動体２７は、図１４乃至図１６に示すように、段付きの回転体で、その背面側に突設された矩形のかしめ突起２８を、上記第２駆動レバーの基部に開口した同形の異形孔に差込んでかしめ付けられている。
【００３６】
そして、その錠箱内に臨む部分には、幅が広い案内溝２９が形成されており、この案内溝２９中に次に述べる第２制御体が回転方向において拘束された状態て係合する。
【００３７】
上記第２制御体３１は、図１７乃至図２１に示すように、中央に矩形の挿通孔１５を開口させた全体の形状が小判形の基盤を有している。
【００３８】
この第２制御体３１の基盤の第１制御体１３側の面には、図１８に示すように、また、図１８で時計盤面に換算して３時と９時の角度位置に、輪郭線が矩形と扇形を重合させた形の一対の突部が形成されている。
【００３９】
そして、各突部は外周側から有底に刳り貫かれ、その空洞部にクリックボール３２とクリックばね３３とが収納されている（図４参照）。
【００４０】
更にまた、第２制御体３１の基盤の前記従動体２７側の面には、図１９に示すように、一対の平行なガイド片３４、３４が突設されており、これらのガイド片３４、３４の外法寸法が上記従動体の案内溝２９の内法寸法よりやや小さく設定されている。
【００４１】
したがって、第２制御体３１のガイド片３４、３４を従動体の案内溝２９に嵌め込むことができ、この場合、従動体の案内溝２９の底面、一対のガイド片３４、３４及び第２制御体３１の基盤の従動体側の表面によって区画された空間が形成される。
【００４２】
この空間に、図２２乃至図２４に示すアクセスストッパー３５の一対が摺動可能に収納されている。
【００４３】
このアクセスストッパー３５は、図に示すように一端を山形に成形した細長い杆体で、図２５に示すように、山形の一端を上下に対称的に配置した状態で、上記一対のガイド片３４、３４によって区画された空間にその長さ方向に移動可能に収納されている（図３及び図４参照）。
【００４４】
また、図２５に示すように組合わせて配置されたとき相互に対向する側端縁には、夫々係合切欠３６が形成されている。
【００４５】
なお、輪郭線が矩形と扇形を重合させた形の一対の突部を図７に示す第１制御体１３の中央の凹陥部に係入させるようにして第２制御体３１を第１制御体に近接配置したとき、前記一対のボタンレバー２１、２１の内端は図２５に示す一対のアクセスストッパーの対応する係合切欠３６と夫々係合する。
【００４６】
一方、図３に示すように、ボタンレバーの外端のボタン間には、圧縮コイルばねとしてのボタンばね３７が弾装されていて、このボタンばねの弾力によりボタンが拡開する方向に付勢されている。
【００４７】
そして、サムターンを回さない待機時においては、上記ボタンばね３７の弾力により図２５の右側のアクセスストッパー３５はＹ方向で上方に、左側のアクセスストッパー３５はＹ方向で下方に、夫々サムターン筒の前記係止溝９に係入する方向に付勢されている。
【００４８】
そのため、一対のアクセスストッパー３５、３５は、夫々サムターン筒の係止溝９に係入する方向に付勢されることになる。
【００４９】
他方、前記ストッパー１７（図１０乃至図１２参照）のアクセスストッパー３５に対向する側に、前記Ｙ方向と直角なＸ方向に長い係合溝３８が形成されている（図１１及び図１２参照）。
【００５０】
これに対応して、図２２及び図２３に示すように、アクセスストッパー３５のストッパー１７に対向する側に係合突起３９が突設されていて、図３に示すように、この係合突起３９が上記ストッパーの係合溝３８に摺動可能に係入している。
【００５１】
そのため、サムターンを回さない待機時においては、ボタンばね３７の弾力によって係止溝９に係入する方向に付勢されたアクセスストッパー３５に従動するようにして、ストッパー１７も係止溝９に係入する方向に付勢されることになる。
【００５２】
上記のように構成されたこの発明の一実施例による防犯サムターンは、待機時にはストッパー１７が係止溝９に係入しているので、サムターンを回すことができず、したがってサムターン回しなどの不正解錠を完全に防止することができる。
【００５３】
開扉のため家人が室内側からサムターンのボタンを押すと、ボタンレバー２１の内端が、図２５で右側のアクセスストッパー３５を下方に、左側のアクセスストッパー３５を上方に夫々移動させ、その結果、アクセスストッパーと一体にストッパー３７が係止溝９から脱出するので、その状態でサムターンを回すことにより室内側からデッドボルトを操作することができる。
【００５４】
ちなみに、このときには第１制御体１３と第２制御体３１とがボタンレバー２１、２１を介して一体的に連結されることになる。
【００５５】
一方、室外側から合鍵を用いて従動体を回す場合には、ストッパー１７が係止溝９に係入しているため第１制御体１３は動かないが、アクセスストッパーの山形の一端の斜面と係止溝の開口縁との間に生じる楔作用により、図２６に示すように、第２制御体及びこれと一体のアクセスストッパー３５のみが例えば反時計方向に回動する。
【００５６】
このときには、アクセスストッパーの係合突起３９がストッパーの係合溝３８中をＸ方向に摺動するので、第１制御体が回動しなくても第２制御体３１との間に抉りが生じない。
【００５７】
やがてアクセスストッパーの山形部が係止溝９中から完全に脱出すると、図２７に示すように、ストッパー１７も完全に係止溝９から脱出するので、以降サムターンは自由になり、このようにして室外側からサムターンの係止を解くことができる。
【００５８】
なお、上記のように第１及び第２制御体１３、３１の間に相対回動が生じる過程において、第１制御体のＭ字形の輪郭線を有する突部と第２制御体のクリック機構とが相対的に回動し、ストッパー１７が係止溝９から脱出したとき、室内側のサムターンが第２制御体のクリック機構によって図１３に示す相対角度位置に復元する。
【００５９】
しかしながら、施解錠操作が完了したとき、従動体及びサムターンを他のクリック機構によって定角度位置に戻すようにすれば、この第２制御体のクリック機構は必須ではない。
【実施例２】
【００６０】
なお、図示の実施例では、この発明を所謂面付錠に適用するものとしたが、この発明は面付錠に限らず、通常のサムターンに適用できることは言うまでもない。
【図面の簡単な説明】
【００６１】
【図１】この発明の一実施例による防犯サムターンを採用した面付錠の室内側からみた正面図。
【図２】その背面図。
【図３】その垂直断面図。
【図４】その水平断面図。
【図５】サムターン筒の開口端面図。
【図６】サムターン筒の断面図。
【図７】第１制御体の内端面図。
【図８】その平面図。
【図９】その断面図。
【図１０】ストッパーの平面図。
【図１１】ストッパーの正面図。
【図１２】ストッパーの断面図。
【図１３】第１及び第２制御体の係合の態様を示す正面図。
【図１４】従動体の正面図。
【図１５】従動体の背面図。
【図１６】従動体の断面図。
【図１７】第２制御体の平面図。
【図１８】その室内側の正面図。
【図１９】その背面図。
【図２０】その垂直断面図。
【図２１】その水平断面図。
【図２２】アクセスストッパーの室内側の正面図。
【図２３】その側面図。
【図２４】その背面図。
【図２５】一対のアクセスストッパーの係合の態様を示す正面図で、待機時を示す。
【図２６】図２５と同様の正面図で、第２制御体が回動した状態を示す。
【図２７】そのときのストッパーの位置を示す。
【図２８】図１３と同様の正面図で、第２制御体が少し回動した状態を示す。
【符号の説明】
【００６２】
１  錠箱
２  ボルト穴
３  連結部材
４  駆動レバー
５  駆動ピン
６  デッドボルト
７  サムターン筒
８  雌ねじ孔
９  係止溝
１１  サムターン
１２  サムターンボス
１３  第１制御体
１４  取付脚部
１５  挿通孔
１６  ストッパー案内溝
１７  ストッパー
１８  突条
１９  ガイド溝
２１  ボタンレバー
２２  支軸
２３  摘み部材
２４  止めねじ
２５  キャップ
２６  第２駆動レバー
２７  従動体
２８  かしめ突起
２９  案内溝
３１  第２制御体
３２  クリックボール
３３  クリックばね
３４  ガイド片
３５  アクセスストッパー
３６  係合切欠
３７  ボタンばね
３８  係合溝
３９  係合突起
【図１】
0005177375.tif 000002
【図２】
0005177375.tif 000003
【図３】
0005177375.tif 000004
【図４】
0005177375.tif 000005
【図５】
0005177375.tif 000006
【図６】
0005177375.tif 000007
【図７】
0005177375.tif 000008
【図８】
0005177375.tif 000009
【図９】
0005177375.tif 000010
【図１０】
0005177375.tif 000011
【図１１】
0005177375.tif 000012
【図１２】
0005177375.tif 000013
【図１３】
0005177375.tif 000014
【図１４】
0005177375.tif 000015
【図１５】
0005177375.tif 000016
【図１６】
0005177375.tif 000017
【図１７】
0005177375.tif 000018
【図１８】
0005177375.tif 000019
【図１９】
0005177375.tif 000020
【図２０】
0005177375.tif 000021
【図２１】
0005177375.tif 000022
【図２２】
0005177375.tif 000023
【図２３】
0005177375.tif 000024
【図２４】
0005177375.tif 000025
【図２５】
0005177375.tif 000026
【図２６】
0005177375.tif 000027
【図２７】
0005177375.tif 000028
【図２８】
0005177375.tif 000029